(57)【特許請求の範囲】
【請求項１】
引戸の戸先に取り付けられる枠箱内に鎌片及びカム片を揺動可能に枢支させること；鎌片に係脱される係止片を戸枠又は他の引戸の戸先に取り付けること；鎌片は鎌ばねで施錠位置に向け付勢させてあること；ある範囲を揺動できるようにしたカム片には思案ばねが備えてあり、思案ばねの思案点を境とするカム片の揺動範囲の前方の領域では、該カム片は基準位置に向け付勢させてあり、思案ばねの思案点を境とするカム片の揺動範囲の後方の領域では、該カム片は解錠位置に向け付勢させてあること；カム片はそれに連係させたサムターン又はシリンダ錠の操作により作動されるものであること；鎌片には第１位置と第２位置との間で切り換えることができる変位可能な切替操作片が設けてあること；切替操作片が第１位置にセットされているときは、カム片は思案ばねが思案点に至るまでの前方の揺動領域において前方の係合部で切替操作片を介して鎌片を施錠位置から解錠位置に向けて押圧作動させるものであること；及び、切替操作片が第２位置にセットされているときは、カム片は思案ばねが思案点に至った後の後方の揺動領域において後方の係合部で枠箱内に枢着した中間レバーを介して鎌片を施錠位置から解錠位置に向け連動させるものであることを構成条件とする引戸用錠装置。
【請求項２】
引戸の戸先に取り付けられる枠箱内に鎌片及びカム片を揺動可能に枢支させること；鎌片に係脱される係止片を戸枠又は他の引戸の戸先に取り付けること；鎌片は鎌ばねで施錠位置に向け付勢させてあること；ある範囲を揺動できるようにしたカム片には思案ばねが備えてあり、思案ばねの思案点を境とするカム片の揺動範囲の前方の領域では、該カム片は基準位置に向け付勢させてあり、思案ばねの思案点を境とするカム片の揺動範囲の後方の領域では、該カム片は解錠位置に向け付勢させてあること；カム片はそれに連係させたサムターン又はシリンダ錠の操作により作動されるものであること；鎌片には第１位置と第２位置との間で切り換えることができる変位可能な切替操作片が設けてあること；切替操作片が第１位置にセットされているときは、カム片は思案ばねが思案点に至るまでの前方の揺動領域において前方の係合部で切替操作片を介して鎌片を施錠位置から解錠位置に向けて押圧作動させるものであること；及び、切替操作片が第２位置にセットされているときは、カム片は思案ばねが思案点に至った後の後方の揺動領域において後方の係合で直接鎌片を施錠位置から解錠位置に向け押圧作動させるものであることを構成条件とする引戸用錠装置。
【発明の詳細な説明】
【０００１】
【発明の属する技術分野】
この発明は、引戸の戸先と戸枠又は他の引戸の戸先との間に設ける引戸用錠位置の改良に関する。
【０００２】
【従来の技術】
この種の引戸用錠装置を自動施錠型としたものとしては、例えば、本願人の出願に係り特開平８−２３２５２７号として公開された装置を挙げることができる。
【０００３】
そのような錠装置においては、サムターン又は鍵を用いなくても引戸を閉ざすだけで自動的に施錠がなされるので、それなりの便利さはあるが、その反面、人の出入りが多く引戸の開閉が頻繁に行われる場合は、人の出入りの都度サムターン又は鍵で錠装置の解錠操作を行わなければならないという面倒な面もあった。
【０００４】
【発明が解決しようとする課題】
この発明の引戸用錠装置は、前記の問題点を解決するために、錠を装着した引戸における人の出入の多少に応じて使い方を変えて使用することができるようにしたものである。
【０００５】
この発明の錠装置における一つの使い方は、従来のように自動施錠型としての使用である。また、他の一つの使い方は、自動施錠及び非施錠の機能を切り替えて使用できるようにしたものである。
【０００６】
【課題を解決するための手段】
上記の目的を達成するため、この発明に係る請求項１の引戸用錠装置は、引戸の戸先に取り付けられる枠箱内に鎌片及びカム片を揺動可能に枢支させること；鎌片に係脱される係止片を戸枠又は他の引戸の戸先に取り付けること；鎌片は鎌ばねで施錠位置に向け付勢させてあること；ある範囲を揺動できるようにしたカム片には思案ばねが備えてあり、思案ばねの思案点を境とするカム片の揺動範囲の前方の領域では、該カム片は基準位置に向け付勢させてあり、思案ばねの思案点を境とするカム片の揺動範囲の後方の領域では、該カム片は解錠位置に向け付勢させてあること；カム片はそれに連係させたサムターン又はシリンダ錠の操作により作動されるものであること；鎌片には第１位置と第２位置との間で切り換えることができる変位可能な切替操作片が設けてあること；切替操作片が第１位置にセットされているときは、カム片は思案ばねが思案点に至るまでの前方の揺動領域において前方の係合部で切替操作片を介して鎌片を施錠位置から解錠位置に向けて押圧作動させるものであること；及び、切替操作片が第２位置にセットされているときは、カム片は思案ばねが思案点に至った後の後方の揺動領域において後方の係合部で枠箱内に枢着した中間レバーを介して鎌片を施錠位置から解錠位置に向け連動させるものであることを構成条件とする。
【０００７】
また、この発明の請求項２に係る引戸用錠装置は、引戸の戸先に取り付けられる枠箱内に鎌片及びカム片を揺動可能に枢支させること；鎌片に係脱される係止片を戸枠又は他の引戸の戸先に取り付けること；鎌片は鎌ばねで施錠位置に向け付勢させてあること；ある範囲を揺動できるようにしたカム片には思案ばねが備えてあり、思案ばねの思案点を境とするカム片の揺動範囲の前方の領域では、該カム片は基準位置に向け付勢させてあり、思案ばねの思案点を境とするカム片の揺動範囲の後方の領域では、該カム片は解錠位置に向け付勢させてあること；カム片はそれに連係させたサムターン又はシリンダ錠の操作により作動されるものであること；鎌片には第１位置と第２位置との間で切り換えることができる変位可能な切替操作片が設けてあること；切替操作片が第１位置にセットされているときは、カム片は思案ばねが思案点に至るまでの前方の揺動領域において前方の係合部で切替操作片を介して鎌片を施錠位置から解錠位置に向けて押圧作動させるものであること；及び、切替操作片が第２位置にセットされているときは、カム片は思案ばねが思案点に至った後の後方の揺動領域において後方の係合で直接鎌片を施錠位置から解錠位置に向け押圧作動させるものであることを構成条件とする。
【０００８】
【発明の実施の形態】
以下、図面に示す２つの実施例に基いてこの発明について説明する。
図１〜図４はこの発明の第１実施例を示し、図５〜図８はこの発明の第２実施例を示している。
【０００９】
図１〜図４の第１実施例において、符号１０は引戸、２０は戸枠又は他の引戸、矢印Ａは引戸１０の閉鎖方向をそれぞれ示す。
【００１０】
引戸１０の戸先にねじ等で取り付けられる枠箱１は、図示例では面付け型のものを示しているが、掘込み型のものであってもよい。枠箱１内には、同軸線上に鎌片２及びカム片３が揺動可能に枢支してある。
【００１１】
鎌片２に対し係脱される鎌状の係止片７は、戸枠又は他の引戸２０の戸先に取付枠又は取付板（いずれも図示しない）を介して変位可能に又は固定的に取付けてある。
【００１２】
図１で符号１１は枠箱１の開口部、１２は枠箱１に固定されたシリンダ錠の取付座である。但し、図２〜図４においては、図面の繁雑さを分けるため取付座１２の記入は省略してある。
【００１３】
鎌片２は例えば数枚の板材を重合させて作られているが、厚さ方向の中間部には空間が設けてあり、その空間部分にはカム片３が装着されている。図示例のカム片３は１枚の板材をＵ字状に折り曲げて作られている。
【００１４】
鎌片２は鎌ばね２１により施錠位置に向け（図１で右回りに）付勢させてあり、自動施錠型としての使用における常態で支柱を兼ねる２つのストッパ２４、２４ａにより施錠位置に停止させてある。符号２５は鎌片２の解錠位置（図３参照）又は非施錠装置（図４参照）における支柱を兼ねるストッパである。
【００１５】
図示例の鎌ばね２１は圧縮コイルばねで作られ、一端を鎌片２に枢着させ他端を固定の受片２３に遊嵌させたばね用案内棒２２に嵌め込むことによって装着させてある。この鎌ばね２１は図示例のものに限らず、ねじりばねなど他の形式のものを用いることができる。
【００１６】
また、上記のカム片３は、それに連係させたサムターン又はシリンダ錠（いずれも図示しない）の操作によりある範囲を揺動できるようにしてあり、そのカム片３と枠箱１との間には思案ばね５が設けてある。
【００１７】
図示例の思案ばね５は、一端をカム片３に枢着し他端を枠箱１上の回転可能なピン５１に可動に挿通させたばね用案内棒５２に対し圧縮コイルばね５３を嵌め込んで成る。但し、この思案ばね５は図示例のものに限らず、開脚ばねなど他の形式のものを用いることができる。
【００１８】
そして、思案ばね５の存在により、カム片３は、該思案ばね５の思案点（死点）を境とするカム片３の揺動範囲の前方の領域において基準位置（図１及び図２の位置）に向け付勢させてあり、その基準位置では鎌片２と共通して使用されるストッパ２４で停止させてある。
【００１９】
また、そのカム片３は、該思案ばね５の思案点を境とするカム片３の揺動範囲の後方の領域においてはその思案ばね５により解錠位置に向け付勢させてある。
【００２０】
符号４は鎌片２の空間部分においてその長さ方向の中央部に変位可能に設けた切替操作片で、この切換操作片４は鎌片２における第１位置である右側の位置（図１〜図３参照）又は第２位置である左側の位置（図４参照）のいずれかを選択してドライバ等の工具により切り換えてできるようにしてある。
【００２１】
鎌片２内で摺動可能にされた切換操作片４には、位置決めねじ４１が螺合させてあり、その頭部は鎌片２に設けたひょうたん形の窓４２内に嵌め合わせてある。
【００２２】
切換操作片４を鎌片２の空間部分において左又は右に移動させるには、前記の位置決めねじ４１をゆるめて移動させた後、それを再びねじ込めばよく、該ねじ４１の頭部はひょうたん形の窓４２における円形部分において移動を拘束されるので、切換操作片４は選択された所望の位置にセットされることになる。
【００２３】
符号４３は切換操作片４の一部を折り曲げて形成した突片と鎌片に設けた矩形の孔との組で成る切換操作片４の案内手段である。
【００２４】
切換操作片４は鎌片２における右側の第１位置（自動施錠位置）にセットしてある時は、この発明の錠装置は自動施錠片として機能する。
【００２５】
引戸１０の開放状態においては、図１に示すように鎌片２は鎌ばね２１の付勢により施錠位置に保持されている。引戸１０が矢印Ａ方向に押されて図２に示すように閉鎖されると、その閉鎖作動の間に、鎌片２は戸枠又は他の引戸２０の係止片７との衝接により一旦解錠位置側に向け（図１で左回りに）鎌ばね２１に抗して揺動され、鎌片２の先端が係止片７の先端を越えると、鎌片２は鎌ばね２１の付勢力により施錠位置に戻され、ここに、その錠装置は自動施錠される。
【００２６】
前記の錠装置を解錠させるには、図示しないサムターン又はシリンダ錠に差し込んだ鍵により、カム片３を図３に示すように左回りに揺動させればよい。
【００２７】
この際、カム片３は、そのカム片３と枠箱１との間に設けられた思案ばね５が思案点に達する前のカム片３における揺動の前方の領域において、前方の係合部である顎部３２により切換操作片４を介して施錠位置から解錠位置に向け押圧揺動させる。
【００２８】
そして、鎌片２は係止片７との係合が解かれるので、引戸１０は図示しない把手等によって手で開放することができる。ここで、サムターン又はシリンダ錠に差し込んだ鍵を手から放せば、カム片３及び鎌片２は思案ばね５及び鎌ばね２１によりそれぞれ基準位置及び施錠位置に復帰することになる。
【００２９】
切換操作片４が鎌片２における左側の第２位置にセットしてあるときは、この発明の錠装置は非施錠又は自動施錠の機能のいずれかに切り替えて使用できる。その切換はサムターン又はシリンダ錠の操作によって行うことができる。
【００３０】
図４に示すように、切換操作片４が第２位置にセットされているとき、サムターン又はシリンダ錠に差し込んだ鍵により、カム片３を思案ばね５に抗して左回りに揺動させると、カム片３の前方の係合部３２は切換操作片４には衝合することなくその揺動は続行される。
【００３１】
そして、カム片３は、思案ばね５が思案点に至った後方の領域において、後方の係合部である駆動ピン３３により、枠箱１内に枢着した中間レバー６を介して鎌片２を施錠位置から解錠位置に向け連動させる。
【００３２】
図示例の中間レバー６は１枚の板材でＣ字状に作られ、基端（下端）が枠箱１に枢着され、先端は鎌片２の後部に後方から係合させてある。
【００３３】
中間レバー６は図において鎌片２の奥側の側板の外側に配設され、思案ばね５の一端の枢軸と同軸をなすカム片３上の駆動ピン３３、すなわち、後方の係合部により、該中間レバー６の中央部分が前方に向け押圧されるようにしてある。
【００３４】
前記のカム片３上の駆動ピン３３は鎌片２の奥側の側板における図示しない円弧状の逃げ孔に沿って揺動できるようにしてある。
【００３５】
前記の中間レバー６はその形状や位置等を解りやすくするため、図１〜図４において１点鎖線で表してある。
【００３６】
切換操作片４を第２位置にセットした状態で、図４に示すように、サムターンを基準位置から例えば左まわりに９０°回すと、カム片３の後方の係合部３３が中間レバー６の中央部を同方向に押し、その中間レバー６の先端の突片６１で鎌片２を左回りに回し、該鎌片２を解錠位置（非施錠位置）におけるストッパ２５で停止させる。
【００３７】
この際、カム３の思案ばね５は、カム片３の揺動領域における後方の領域（例えば６０°の揺動位置）で思案点を越えることになるので、カム片３及び鎌片２を基準位置とは逆向きの解錠位置に向け付勢させる。
【００３８】
そして、この状態においては、鎌片２を付勢させる２つの逆向きの思案ばね５及び鎌ばね２１について前者の付勢力を大きく設定してあるので、思案ばね５が鎌ばね２１に打ち勝ってカム片３及び鎌片２をそれぞれの解錠位置（非施錠位置）に定位させることになる。
【００３９】
この発明の錠装置が図４の状態にある時は、鎌片２の先端は下がったままなので、引戸１０を閉鎖しても施錠することは不能である。従って、引戸１０は常時解錠状態であって、いつでも把手等で開閉できることになる。
【００４０】
前記の非施錠位置にある鎌片２を施錠位置（基準位置）に戻すには、サムターンを思案ばね５の付勢力に抗して図４で右回りに回してやればよい。
【００４１】
サムターンの回動に伴ってカム片３が揺動し、カム片３の揺動領域において思案ばね５が思案点を越えると、カム片３は前方の領域に戻りその思案ばね５で基準位置に向け付勢されることになる。
【００４２】
そして、カム片３と中間レバー６との係合も解かれるので、鎌片２も鎌ばね１２のみの付勢を受けることになり、カム片３及び鎌片２はそれぞれ基準位置及び施錠位置に復帰する。
【００４３】
なお、上述の切換操作片４を第１位置と第２位置との間で切り換える操作は、錠装置を取付ける引戸における人の出入りの多少等に応じて錠装置の取付け前に行っておくのが普通であるが、状況の変化によっては取付け後にその操作を行ってもよいことは言うまでもない。
【００４４】
図示例の錠装置においては、それが引戸に装着された場合、切替操作片４は枠箱１内の封じられ外部に露出しないものとして設計してあるが、枠箱１に操作用の窓等を設け、切換操作片４を外部から操作できるようにすることもできる。
【００４５】
次に、図５〜図８において、この発明の第２実施例について説明する。この発明の第２実施例においては、図１〜図４に示す第１実施例における中間レバー６を排し、それに代わるカム片３と鎌片２との連係手段を、カム片３の後方の係合部である駆動ピン３３とその駆動ピン３３が可動の状態で嵌まり合う鎌片２上の円弧状の制御孔８とで構成してある。
【００４６】
図５〜図８の第２実施例において、図１〜図４の第１実施例と同一の符号で指し示す部材ないし部位は、互いに等効の作用を呈する部材ないし部位を示しているので、それらの説明については、重複を避けるために省略し、ここでは、主として相違している部材ないし部位を中心として説明する。
【００４７】
切換操作片４が鎌片２における右側の第１位置（自動施錠位置）にセットしてあるときの諸作動は第１実施例のそれとほとんど変わらない。
【００４８】
図８に示すように、切換操作片４が第２位置にセットされているとき、サムターン又はシリンダ錠に差し込んだ鍵により、カム片３を思案ばね５に抗して例えば左回りに９０°揺動させると、カム片３の前方の係合部３２（顎部）は切換操作片４には衝合することなくその揺動が続行される。
【００４９】
その間、カム片３の後方の係合部である駆動ピン３３は鎌片２の一方の側板に設けた円弧状の制御孔８内を遊動し、それが制御孔８の終端に至った時点では、該駆動ピン３３が制御孔８の端縁に直接衝合するので、鎌片２を施錠位置から解錠位置に向け揺動変位させ、その鎌片２はその解錠位置（非施錠位置）においてストッパ２５で停止される。
【００５０】
この際、カム片３の思案ばね５は、カム片３の揺動の領域における後方の領域（例えば６０°の揺動位置）で思案点を越えることになるので、カム片３及び鎌片２を基準位置又は施錠位置とは逆向きの解錠位置に向け付勢させる。
【００５１】
そして、この状態においては、鎌片２を付勢させる２つの逆向きの思案ばね５及び鎌ばね２１について前者の付勢力を大きく設定してあるので、思案ばね５が鎌ばね２１に打ち勝ってカム片３及び鎌片２をそれぞれの解錠位置（非解錠位置）に定位させることになる。
【００５２】
第２実施例の錠装置が図８の状態にあるときは、鎌片２の先端は下がったままなので、引戸１０を閉鎖しても施錠することは不能である。従って、引戸１０は常時解錠状態にあって、いつでも把手等で開閉できることになる。
【００５３】
前記の非施錠位置にある鎌片２を施錠位置に戻すには、サムターンを思案ばね５の付勢力に抗して図８で右回りに回してやればよい。
【００５４】
サムターンの回動に伴ってカム片３が揺動し、カム３の揺動領域において思案ばね５が思案点を越えると、カム片３は前方の領域に戻りその思案ばね５で基準位置に向け付勢されることになる。
【００５５】
そして、カム３の係合部３３により拘束が解かれた鎌片２は鎌ばね２１により施錠位置に向け付勢されることになり、カム片３及び鎌片２にはそれぞれ基準位置及び施錠位置に復帰する。
【００５６】
【発明の効果】
以上に説明したこの発明の引戸用錠装置によれば、切換操作片の操作により、１つの錠装置を自動施錠型として用いることもできるし、自動施錠と非施錠の両機能を持たせたものとして用いることもできるので、極めて経済的に有利である。
【図面の簡単な説明】
【図１】この発明の第１実施例において、引戸をやゝ開いた状態で示す部分縦断側面図。
【図２】その施錠状態における部分縦断側面図。
【図３】その解錠状態における部分縦断側面図。
【図４】その非施錠状態における部分縦断側面図。
【図５】この発明の第２実施例において引戸をやゝ開いた状態で示す部分縦断側面図。
【図６】その施錠状態における部分縦断側面図。
【図７】その解錠状態における部分縦断側面図。
【図８】その非施錠状態における部分縦断側面図。
【符号の説明】
１０  引戸
２０  戸枠又は他の引戸
１  枠箱
２  鎌片
２１  鎌ばね
３  カム片
３２  前方の係合部
３３  後方の係合部
４  切換操作片
５  思案ばね
６  中間レバー
７  係止片
【図１】
0003964006.tif 000002
【図２】
0003964006.tif 000003
【図３】
0003964006.tif 000004
【図４】
0003964006.tif 000005
【図５】
0003964006.tif 000006
【図６】
0003964006.tif 000007
【図７】
0003964006.tif 000008
【図８】
0003964006.tif 000009